(57)【特許請求の範囲】
【請求項１】
前面開口した収容箱体(21)内に複数の図柄表示ユニット(U)を収容セットし、前面に可視表示部分(67)を開設した遊技盤(J)の裏側へ前記収容箱体(21)をセットして前記図柄表示ユニット(U)の図柄表示体(33)を前記可視表示部分(67)へ臨ませることで、図柄組合わせゲームを展開するパチンコ遊技機の大型遊技装置において、
前記各図柄表示ユニット(U)の図柄表示体(33)の外周面に沿って前向きの凸円弧形に膨出形成されて前記可視表示部分(67)の開口領域内に臨む透視部(23)と、前記透視部(23)の裏側に形成されて該透視部(23)裏側に臨む各図柄表示体(33)の間に位置する区画壁部(69)と、前記透視部(23)の左右側端に形成されて該透視部(23)裏側に臨む左端および右端の図柄表示体(33)の側方に位置する側壁部(68a,68b)とを備えた前カバー部材(20)を、前記収容箱体(21)の前面開口部を覆蓋するよう前記収容箱体(21)の前側に予め組付けて取扱い得るよう構成した
ことを特徴とするパチンコ遊技機の大型遊技装置。
【請求項２】
前記前カバー部材(20)の後面所要位置に、前記図柄表示ユニット(U)の駆動基盤(31)を支持する支持部(71)が図柄表示ユニット(U)毎に形成されて、該支持部(71)に支持された図柄表示ユニット(U)の駆動基盤(31)の前端が前記区画壁部(69)または側壁部(68a)の後端部に整合するよう構成された請求項１記載のパチンコ遊技機の大型遊技装置。
【請求項３】
前記区画壁部(69)は、両側面全面が不透明に形成される請求項１または２記載のパチンコ遊技機の大型遊技装置。
【請求項４】
前記収容箱体(21)の後面に対向当接する本体板(37)と、
前記本体板(37)の上端部から前方に向けて延出し、前端部が前記前カバー部材(20)に固定される上板(38)と、
前記本体板(37)の下端部から前方に向けて延出し、前端部が前記前カバー部材(20)に固定される下板(39)とを有する金属枠(22)が設けられて、
前記収容箱体(21)の後面に前記本体板(37)を対向当接すると共に、前記上板(38)と下板(39)とで収容箱体(21)を上下から挟持する状態で該上板(38)および下板(39)が前カバー部材(20)に固定されて、前記金属枠(22)と前カバー部材(20)との間に収容箱体(21)を挟持するよう構成された請求項１〜３の何れか一項に記載のパチンコ遊技機の大型遊技装置。
【請求項５】
前記各図柄表示ユニット(U)の駆動基板(31)の下端部には、下方に突出する位置決め突片(34)が形成されて、該図柄表示ユニット(U)を制御する表示制御装置(M)に接続されるコネクタ(35)を該位置決め突片(34)に配設するよう構成されると共に、
前記収容箱体(21)は、前後に開放する前ケース(29)と、該前ケース(29)と同一外形寸法で前方に開放する箱状の後ケース(30)とから構成されて、前ケース(29)の後端と後ケース(30)の前端とを対向当接することで、前記各図柄表示ユニット(U)を収容セットする収容室が画成されて、
前記前ケース(29)の下枠材(29a)における後端部には、後側に開放する前切欠(29b)が各図柄表示ユニット(U)に対応して形成されると共に、前記後ケース(30)の下枠材(30a)における前端部には、前ケース(29)の各前切欠(29b)と対応する位置に、前側に開放する後切欠(30b)が形成されて、各図柄表示ユニット(U)の前記位置決め突片(34)を前後のケース(29,30)の切欠(29b,30b)に嵌挿して収容室内に各図柄表示ユニット(U)を互いに等間隔で整列保持したもとで、前記金属枠(22)と前カバー部材(20)との間に前後のケース(29,30)を挟持するよう構成された請求項４記載のパチンコ遊技機の大型遊技装置。
【発明の詳細な説明】
【０００１】
【発明の属する技術分野】
この発明は、パチンコ遊技機の大型遊技装置に関し、更に詳しくは、遊技盤に構成された遊技領域内でパチンコゲームを展開し得るパチンコ遊技機において、該遊技盤の裏側に装着されて図柄組み合わせによる特別遊技条件を現出し得る大型遊技装置に関するものである。
【０００２】
【従来の技術】
この種の遊技機の代表例として、従来から知られているパチンコ機において、遊技中に発生される毎回の始動および停止を含む変動制御条件に基づいて図柄組合わせゲームを展開して、特別遊技状態に係る権利とされる組合わせ入賞条件を成立表示することのできる大型遊技装置として、ドラム形式やベルト形式と称されている各種の図柄可変表示装置が採用されている。このうち、例えばドラム形式の図柄可変表示装置では、対象のパチンコ機によってサイズや変動制御条件等に差異があっても、その基本的な形態として、図柄表示体として合成樹脂成形された平プーリ形の図柄ドラム(ドラムの素地である回転体の外周に色彩区分された、例えば数字、アルファベット文字、その他の図形やマーク等の各種多様な識別用の図柄を配置したもの)と、該図柄ドラムの回転駆動手段(一般にステッピングモータ)と、停止表示される各図柄用の位置決め検出手段および照明手段等を含めて１基毎に図柄表示ユニット化される。そして、この図柄表示ユニットが、１つのドラムケース内に複数基(通常では左列、中列、右列の３基)を組単位として並列セットされている。
【０００３】
このような図柄可変表示装置は、例えば遊技盤の裏面に組付けて固定することにより、該遊技盤前面の中央に組付けた大型装飾部品に開口形成された透視窓状の可視表示部分に対し、前記各図柄表示ユニットの各図柄ドラムを臨ませた状態に固定される。なお、図柄可変表示装置と可視表示部分との間には、前記図柄ドラムの図柄を透視し得る透明樹脂製の前カバー部材が介挿されており、パチンコゲーム中に発生した始動信号入力条件により表示制御装置から発生される制御出力に基いて各列の図柄表示ユニットの図柄ドラムが設定時間条件で回転・停止し、各図柄を入賞ライン上に透視表示するよう構成される。
【０００４】
【発明が解決しようとする課題】
ところで従来のパチンコ遊技機の遊技盤では、前記前カバー部材が前記大型装飾部品側に組付けるように構成されており、ユニット化された前記図柄可変表示装置のドラムケースは前記可視表示部分に整合する前側が大きく開口しており、各図柄表示ユニットの図柄ドラムが露出していた。このため、保管時や輸送時等においては、図柄ドラムを損傷したりドラムケース内へ塵埃やゴミ等の異物が侵入し易い欠点があり、実際にこれらが侵入した場合には図柄表示ユニットの故障や誤作動(位置検出不良、駆動モータの作動不良等)を誘因してしまう問題があった。また、遊技盤に対する図柄可変表示装置の組付けに際しては、遊技盤の裏側に装着したセーフ球案内部材に対してドラムケースをビス等により固定するようになっており、組付け作業が面倒で時間がかかる問題もあった。しかも、図柄可変表示装置を遊技盤に位置決めする際に、前記図柄ドラムを前記前カバー部材へ衝突させてしまうこともあり、これにより図柄ドラムが傷付く不都合も指摘される。
【０００５】
【発明の目的】
本発明は、前述した従来の技術に内在している前記課題に鑑み、これを好適に解決するべく提案されたものであって、図柄可変表示装置に前カバー部材を予め組付けて単一ユニット化することにより、装置内への異物混入回避による図柄表示ユニットの故障や誤作動防止、図柄表示体の損傷防止、組付容易化等を図り得るようにしたパチンコ遊技機の大型遊技装置を提供することを目的とする。
【０００６】
【課題を解決するための手段】
前述した課題を克服し、所期の目的を好適に達成するため、本発明に係るパチンコ遊技機の大型遊技装置は、前面開口した収容箱体内に複数の図柄表示ユニットを収容セットし、前面に可視表示部分を開設した遊技盤の裏側へ前記収容箱体をセットして前記図柄表示ユニットの図柄表示体を前記可視表示部分へ臨ませることで、図柄組合わせゲームを展開するパチンコ遊技機の大型遊技装置において、
前記各図柄表示ユニットの図柄表示体の外周面に沿って前向きの凸円弧形に膨出形成されて前記可視表示部分の開口領域内に臨む透視部と、前記透視部の裏側に形成されて該透視部裏側に臨む各図柄表示体の間に位置する区画壁部と、前記透視部の左右側端に形成されて該透視部裏側に臨む左端および右端の図柄表示体の側方に位置する側壁部,とを備えた前カバー部材を、前記収容箱体の前面開口部を覆蓋するよう前記収容箱体の前側に予め組付けて取扱い得るよう構成したことを特徴とする。
【０００７】
【作用】
大型遊技装置は、複数の図柄表示ユニットを収容セットした収容箱体の前側開口部に前カバー部材が予め組付けられ、この状態で単一のユニットとして取扱うことができる。これにより、収容箱体の前側開口部が前カバー部材で覆蓋されているので、組立完了後の保管時や運搬時に該箱体内への塵埃やゴミ等の異物の侵入が好適に回避されて図柄表示ユニットの誤作動や故障発生が好適に防止される一方、図柄表示体が露出しないので該表示体の損傷や破損等も防止される。そして前カバー部材の裏面側に、図柄表示ユニットの位置決めおよび保持用の支持部を形成してあるので、該前カバー部材に対する図柄表示ユニットの位置決めが極めて簡単かつ容易に行ない得る。
【０００８】
【発明の実施の形態】
次に、本発明に係るパチンコ遊技機の大型遊技装置について、好適な実施例を挙げて添付図面を参照しながら以下詳細に説明する。なお、本実施例に係る大型遊技装置としては、ドラム式の図柄可変表示装置(単に図柄装置とも略称する)を例に挙げて、パチンコ機に配設されるものとして説明する。
【０００９】
(パチンコ機)
そこで、先ず本実施例の図柄可変表示装置が実施されるパチンコ機について、図２および図３を参照して要約説明する。本実施例のパチンコ機Ｐは、その基本的な概略構成として、外枠Ａの開口前面側に対して前枠Ｂが、連結支持手段および施錠手段を利用して着脱および開放可能に組付けられている。そして前枠Ｂの内外部分に、横開き式のガラス扉Ｄを組付けた窓枠Ｃと、ガラス扉Ｄの下部において窓枠Ｃに対して着脱および開放可能に組付けられる開閉セット板の前側にセットされた上球皿Ｅおよび後側にセットされた電動式の球送り装置(図示せず)と、下段に位置する下球皿Ｆおよび打球発射装置Ｈと、後側に位置する機構セット盤Ｇ等が夫々装備されている一方、前枠Ｂ後側の収容枠体の正面内部に所要の遊技領域Ｉを構成した遊技盤Ｊが着脱交換可能にセットされる。
【００１０】
(遊技盤)
前記遊技盤Ｊは、図４に示すように、略円形状に湾曲形成したレール１０により囲まれた遊技領域Ｉの前側において、縦央やや下部に配設されてセーフ球をスイッチで検出し得る始動入賞具１１と、この始動入賞具１１の直上方に配置され、後述する図柄可変表示装置(大型遊技装置)Ｋに組付けた透視表示体(前カバー部材)２０が整合すると共に内壁面をメッキ処理した可視表示部分６７を形成した大型装飾部品Ｎと、風車とも称されて遊技球用の流下方向を任意に変向する電飾案内車１２および普通案内車１３と、始動入賞具１１の直下方に設置された前記大型電動式の入賞装置Ｌと、遊技状態に応じて照射パターンが変更制御される電飾装置１４等を備えている。また遊技盤Ｊの後側には、図３に示すように、セーフ球を機構セット盤Ｇ側に通出案内させるセーフ球案内部材１５が装着されている。そして、このセーフ球案内部材１５には、該案内部材１５に開設した透視窓部１５ａの後側に合わせて図柄可変表示装置Ｋが装備セットされる。なお、図４中の符号１６はアウト口を示す。
【００１１】
前記始動入賞具１１内に配設された図示しないスイッチは、各セーフ球の検出毎に図柄可変表示装置Ｋを１回ずつ作動スタートさせるための始動入力手段として利用される。また前記入賞装置Ｌは、図柄可変表示装置Ｋの大当り成立時に対する特別遊技状態として、開成作動条件が付与される大型の入賞装置であって、図４に示されるように、特別入賞口１７に対設された扉状の開閉板１８が、後側の電磁ソレノイドに係る設定駆動条件に基づいて、通常の閉鎖状態から開放状態に変化されるようになっている。そして、特別入賞口１７の後側内部にセーフ球用のカウントスイッチと、開放作動継続用の特別スイッチ(Ｖスイッチ)が組込まれている(何れも図示せず)。なお、入賞装置Ｌの左右両側に普通入賞口１９,１９が設けられている。
【００１２】
(図柄可変表示装置)
実施例に係るドラム式の図柄可変表示装置Ｋは、前記遊技盤Ｊの後側にセットされるセーフ球案内部材１５に装備される前提にあって、基本的な構成として図１に示すように、セーフ球案内部材１５の後面側に装着セットされて前記大型装飾部品Ｎの可視表示部分６７に臨む透視表示体２０と、この透視表示体２０の後面側に装着される収容箱体２１内に縦列収容セットされる複数基(図示３基)の図柄表示ユニットＵと、収納箱体２１に対して後面側から装着されて透視表示体２０との間で該収容箱体２１を挟持する金属枠２２と、夫々の図柄表示ユニットＵに係る所要の入出力制御をなし得る表示制御装置(制御装置)Ｍとを備え、全体が前後方向へ組付け結合されて単一ユニットとして構成されている。そして、パチンコゲーム中に発生した始動信号入力条件により、前記表示制御装置Ｍから発生される制御出力に基いて、各列の図柄表示ユニットＵの図柄ドラム３３(後述)が設定時間条件で回転・停止されて、各図柄を遊技盤Ｊの前面の入賞ライン上に表示し得るようになっている。
【００１３】
そこで、実施例の図柄可変表示装置Ｋにおける前記各構成部材毎について説明する。
【００１４】
(透視表示体について)
前カバー部材としての前記透視表示体２０は、装置自体の前位置決め部材としても機能するものであって、図７および図１３〜図１５に示すように、透明合成樹脂材により後側に開放する箱蓋形に形成されると共に、その中央部には、前向きの凸円弧形に膨出して蒲鉾状を呈するレンズ兼用の透視部２３が形成されている。この透視部２３の裏側は、該透視部２３に一体的に形成された側壁部６８ａ,６８ｂおよび区画壁部６９,６９により横方向へ３分割されており、これにより該透視部２３に左、中、右の３列の表示窓２４が区画形成されている。そして透視部２３は、可視表示部分６７に臨む部分の肉厚を適宜大きくすると共に表面を湾曲成形することにより図柄Ｓを拡大透視表示するレンズ機能を有している一方(図１６(ａ))、各区画壁部６９,６９が所謂「補強リブ」として機能することにより剛性が高められており、押圧による変形や図柄表示ユニットＵの駆動によるビビリ振動等が好適に防止される。
【００１５】
そして前記各表示窓２４では、上下中央部に水平の入賞ラインが設定されることを前提としたもとで、この入賞ラインに停止する図柄Ｓを透過表示する部分を表示領域２４ａとして透明に形成する一方、該表示領域２４ａを外れた上方および下方を非表示領域２４ｂとして「すりガラス」状の不透明に形成し、入賞ライン(表示領域２４ａ)に停止した図柄Ｓは明瞭に表示されると共に、上下の非表示領域２４ｂに停止した図柄Ｓは不明瞭に表示されるようになっている(図１６(ｂ))。また、前記各側壁部６８ａ,６８ｂは、その内側全面に水平前後方向へ延在する多数の凸部７０が形成された凹凸状を呈して光拡散性に優れると共に透視性に劣るように設定され、左側および右側に位置する各図柄表示ユニットＵ,Ｕにおける照明具７８からの照射光を外部へ積極的に拡散させて照明効果の向上を図ると共に、当該ユニットＵ,Ｕ内部の透視は不能となっている。更に、前記各区画壁部６９,６９は、その両側面全面が「すりガラス」状の不透明に形成され、各図柄表示ユニットＵにおける照明具７８からの照射光の側方への透過を許容するが、各図柄表示ユニットＵ内部の透視は不能となっている。
【００１６】
また図１３に示すように、前記透視表示体２０の上下内周面の所要位置に複数のボス２８が形成され、各ボス２８には後側に開放するネジ孔２８ａが形成される。そして、該ネジ孔２８ａに螺挿されるネジ(図示せず)を介して、前記金属枠２２が透視表示体２０に位置決め固定されるよう構成される。一方、前記透視部２３の上下隣接部には、後述する各図柄表示ユニットＵにおける駆動基盤３１の位置決めおよび挟持を図る支持ガイド片(支持部)７１が横方向に離間して３個ずつ形成されており、上下に対向する一対の支持ガイド片７１,７１が１枚の駆動基盤３１に対応するようになっている。なお、夫々の支持ガイド片７１,７１に固定された駆動基盤３１の前端は、図７および図１５に示すように、前記区画壁部６９,６９または側壁部６８ａに夫々整合するようになっている。更に、前記透視部２３の外周隣接部には、前記収容箱体２１における前ケース２９の位置決めを図る枠状突片７２が形成されている。なお、この枠状突片７２の側部内方には、該突片７２に整合した前記前ケース２９の内側への変形を規制する変形規制ボス(変形規制部)７３が突設されている。
【００１７】
また透視表示体２０の左右の側縁部には、ピン孔(係合受部)２５ａおよび装着孔２５ｂを有する連結支片２５が夫々形成される一方、該表示体２０の下縁部にはピン孔(係合受部)７５を有する支持片７４が形成され、各連結支片２５の装着孔２５ｂには固定部材７６を利用して施錠具２６が予め回動可能に装着されるようになっている。なお、前記セーフ球案内部材１５には、前記透視窓口１５ａの左右両側に、後方に突出するピン(係合部)２７ａおよび連結孔２７ｂを形成した支持部２７が夫々形成されていると共に、該透視窓口１５ａの下側にピン(係合部)７７が形成されており、透視表示体２０の各連結支片２５のピン孔２５ａに対応するピン２７ａを嵌挿すると共に前記ピン孔７５に対応するピン７７を嵌挿し、このもとで施錠具２６を対応する連結孔２７ｂに係着することで、透視表示体２０はセーフ球案内部材１５に連結状態で施錠されるようになっている。なお、このように構成された透視表示体２０は、図柄可変表示装置Ｋの全重量を支えるために、所要位置に複数の補強リブを設けて剛性向上が図られている。
【００１８】
(収容箱体について)
前記収容箱体２１は、図８,図９および図１４に示す如く、前後に開放する角筒状の前ケース２９と、該前ケース２９と同一外形寸法で前方に開放する箱状の後ケース３０とからなり、前ケース２９の後端と後ケース３０の前端とを対向当接することで、前記３基の図柄表示ユニットＵを収容セットするための前方に開放する収容室が内部画成される。そして、前ケース２９の前部を、前記透視表示体２０の後面側に形成した前記枠状突片７２に嵌合位置決めすることで(図７,図１４参照)、前開口部が前記透視部２３に整合されるようになっている。このとき、前ケース２９の両側壁部は、図１５に示すように、前記枠状突片７２および前記変形規制ボス７３により内外両側から係止保持されており、殊に内側への弾性変形が規制されている。
【００１９】
前記前ケース２９の下枠材２９ａにおける後端部には、幅方向に離間して３つの前切欠２９ｂが後側に開放するよう形成される。また後ケース３０の下枠材３０ａにおける前端部には、前ケース２９の各前切欠２９ｂと対応する位置に、前側に開放する後切欠３０ｂが夫々形成され、前後のケース２９,３０を対向当接した状態で、両切欠２９ｂ,３０ｂにより逃し口が下方に開口するよう構成される(図７参照)。
【００２０】
(図柄表示ユニット)
前記各図柄表示ユニットＵは、図８,図９および図１４に示す如く、矩形状の駆動基盤３１と、この基盤３１中央部に装着されたステッピングモータ３２で回転制御されてリム部外周に複数個の前記図柄Ｓ(図１６)を形成した表示手段としての図柄ドラム３３と、入賞ライン上に停止した前記図柄Ｓを内側から照明する照射ランプ７９,７９を有する照明具７８と、図柄ドラム３３の各図柄の位置検出の基準となるインデックス８０を検出する光電センサ形式の検出具８１とから構成されている。また各駆動基盤３１の下端後部に、下方に突出する位置決め突片３４が形成され、該突片３４のモータ装着面側に、コネクタ３５が接続口３５ａを側方に向く横向き(駆動基盤３１に対する直交する向き)とした姿勢で配設されている。そして各図柄表示ユニットＵは、位置決め突片３４が前記収容箱体２１における前後のケース２９,３０の切欠２９ｂ,３０ｂに嵌挿されたもとで、収容室内において各図柄表示ユニットＵが互いに等間隔で整列保持される。なお、収容箱体２１の逃し口から下方に突出する位置決め突片３４に配設されるコネクタ３５は、前記表示制御装置Ｍのコネクタ５２(後述)に対してハーネス３６を介して接続できるようになっている。
【００２１】
(金属枠について)
前記金属枠２２は、図８および図９に示す如く、矩形状に形成された本体板３７の上端部に、前方に向けて水平に延出する上板３８が形成されると共に、本体板３７の下端部には、幅方向に離間して複数(実施例では３枚)の下板３９が前方に向けて水平に延出するよう形成される。そして、前記収容箱体２１に対して金属枠２２は、収容箱体２１における後ケース３０の後面に本体板３７を対向当接すると共に、上板３８と下板３９とで前後のケース２９,３０を上下から挟持する状態で装着される。なお、各下板３９は、収容箱体２１の下面に形成される各逃し口から下方に突出するコネクタ３５とは干渉しない位置に設けられる。
【００２２】
前記上板３８の前端部には、幅方向に離間して複数(実施例では２つ)の当接片３８ａが上方に向けて略直角に折曲形成されると共に、前記各下板３９の前端部には、下方に向けて当接片３９ａが略直角に折曲形成されており、各当接片３８ａ,３９ａは、前記収容箱体２１に金属枠２２を装着した状態で、前記透視表示体２０に形成された対応のボス２８の後端に当接するよう設定される。また上下に位置する各当接片３８ａ,３９ａにはスリット３８ｂ,３９ｂが形成され、各スリット３８ｂ,３９ｂに後側から挿通されたネジを対応のネジ孔２８ａに螺挿することで、当該金属枠２２が透視表示体２０に位置決め固定される。すなわち、前記前後のケース２９,３０に分割されている収容箱体２１は、透視表示体２０と金属枠２２とにより挟持された状態で位置決めされている。
【００２３】
前記上板３８における左右の側端部には、上方に向けて略直角に折曲された支持片４０が夫々形成される。また、本体板３７の左右の両側端部における一方の対角近傍に、後方に延出するＴ字状の第１位置決め片４１が夫々形成されると共に、他方の対角近傍には後方に延出する第２位置決め片４２が夫々形成される。そして、これら４つの位置決め片４１,４１,４２,４２および前記一対の支持片４０,４０により、前記表示制御装置Ｍを好適に支持するよう構成される。更に、上板３８の前端部には、前記両当接片３８ａ,３８ａの間に、ネジ孔４３ａが形成された取付片４３が上方に向けて所要長さで延在するよう略直角に折曲形成され、該取付片４３を介して表示制御装置Ｍがネジ止めされるようになっている(図６参照)。なお、本体板３７における左右の側端部には、前記後ケース３０を幅方向両側から挟持する挟持片３７ａが夫々形成されている。
【００２４】
(表示制御装置)
前記表示制御装置Ｍは、前記図柄表示ユニットＵに関する各種電子部品が実装される表示制御基板(制御基板)４４と、該基板４４を収容する基板ケース４５とから基本的に構成される。表示制御基板４４は、図１０および図１１に示す如く、前記収容箱体２１の上面側に位置する第１基板部４６と、収容箱体２１の後面側に位置する第２基板部４７とから構成され、全体としてＬ字型を呈している。所要の回路パターンが形成された第１基板部４６には、大型であったり、重量が大きかったり、発熱あるいはノイズの発生原因となる、放熱板を備えたトランスやレギュレータ等の電源部品４８やコンデンサ４９等の大型部品(電子部品)が実装される。また第１基板部４６の四隅には、後述する第１ケース体５４に突設したボス５７に対応する通孔４６ａが夫々形成されている。
【００２５】
これに対して所要の回路パターンが形成された第２基板部４７には、小型部品(電子部品)であるＣＰＵ５０やＩＣ５１等が実装され、表示制御装置自体の前後方向の厚み寸法を小さくし得るよう構成される(図５,図７参照)。また第２基板部４７の後面(配設面)には、前記各図柄表示ユニットＵに対するコネクタ５２が、その接続口５２ａを下向きとした姿勢(接続口が制御基板の配設面に沿う方向に向けて開口する姿勢)で下端部に配設されると共に、該第２基板部４７の左側部(図１０において)には、図示しない主制御装置に対するコネクタ５３が、その接続口５３ａを側方に向けた姿勢(接続口が制御基板の配設面に沿う方向に向けて開口する姿勢)で配設してある。なお、第２基板部４７の四隅に、後述する第２ケース体５５に突設したボス６２に対応する通孔４７ａが夫々形成されている。
【００２６】
前記表示制御基板４４が収容される基板ケース４５は、透明合成樹脂材によりＬ字型に形成された第１ケース体５４と、同じく透明合成樹脂材により該第１ケース体５４と整合し得るＬ字型の箱枠形に形成された第２ケース体５５とから構成され、両ケース体５４,５５を組付けることにより内部画成された収容室５６に、表示制御基板４４が収容されるようになっている(図７参照)。
【００２７】
前記第１ケース体５４の水平な上板５４ａの上面には、ネジ孔５７ａを形成したボス５７が四隅に突設され、前記表示制御基板４４の第１基板部４６は、前記各通孔４６ａを対応するボス５７と一致させた状態で載置され、図示しないネジを上方からネジ孔５７ａに螺挿することでネジ止めされる。また第１ケース体５４の垂直な本体板５４ｂの後面には、ネジ孔５８ａを形成したボス５８が四隅に突設され、前記表示制御基板４４の第２基板部４７は、前記各通孔４７ａを対応するボス５８と一致させた状態で位置決めされ、図示しないネジを第２ケース体５５の後方からネジ孔５８ａに螺挿することでネジ止めされる。
【００２８】
なお、前記第１ケース体５４における上板５４ａの前端部(基板ケースの上部)には、所定高さで上方に立上がる立上がり壁５９が形成され、該壁５９には多数個の放熱孔５９ａが形成されている。また、立上がり壁５９の幅方向の略中央に、所定長さの凹部５９ｂが形成されると共に、該壁５９の後面には、幅方向に離間して一対の位置決め用の突起６０,６０が形成されている。
【００２９】
前記第２ケース体５５は、前述したようにＬ字型の箱枠形に形成されたものであって、略水平な上板５５ａの前端部に、上方に向けて所定高さで立上がる立上がり壁６１が形成される。この立上がり壁６１には、前方に突出する所定幅寸法の凸部６１ａが形成され、該凸部６１ａを前記第１ケース体５４の立上がり壁５９における凹部５９ｂに嵌合して位置決めするよう構成される。また立上がり壁６１の幅方向略中央に通孔６１ｂが形成され、図６に示す如く、該通孔６１ｂに後方から挿通したネジ６６を、前記金属枠２２の取付片４３のネジ孔４３ａに螺挿することで、当該の表示制御装置Ｍが金属枠２２、すなわち収容箱体２１の後側に配設固定されるようになっている。なお、上板５５ａの幅方向両端縁から垂下する上部側板５５ｂ,５５ｂは、第２ケース体５５を第１ケース体５４に組付けた状態で、その内面が第１ケース体５４の突起６０,６０に当接することで位置決めされる。
【００３０】
前記第２ケース体５５の垂直な本体板５５ｃの前面には、前記第１ケース体５４に位置決めされた第２基板部４７の各通孔４７ａと対応する位置に、所定長さのボス６２が夫々突設され、該ボス６２が第２基板部４７に当接している。またボス６２には通孔６２ａが形成され、該通孔６２ａに後側から挿通したネジを、前記第１ケース体５４のボス５８に形成したネジ孔５８ａに螺挿することで、当該の第２ケース体５５は第１ケース体５４に配設固定される。なお、第２ケース体５５における本体板５５ｃの上部に、多数個の放熱孔５５ｄが形成されている。
【００３１】
前記第２ケース体５５の下部には、図７および図１２に示す如く、前記第２基板部４７に配設された各図柄表示ユニットＵに対する各コネクタ５２と対応する位置に、該コネクタ５２の裏面側を覆って下方に開口する下保護凹部６３が夫々形成される。また同様に第２ケース体５５の左側部には、第２基板部４７に配設された主制御装置に対するコネクタ５３と対応する位置に、該コネクタ５３の裏面側を覆って側方に開口する側保護凹部６４が形成されている。
【００３２】
前記第２ケース体５５における本体板５５ｃの幅方向両端縁から前方に延出する下部側板５５ｅ,５５ｅの外面には、前記金属枠２２に形成されたＴ字形の各第１位置決め片４１と対応する位置に、上下に離間する一対の爪片６５,６５が突設され、両爪片６５,６５の間に第１位置決め片４１が係合することで、金属枠２２に対する表示制御装置Ｍの確実な位置決めが行なわれる。
【００３３】
【実施例の作用】
次に、本実施例に係る図柄可変表示装置の作用につき説明する。前記図柄可変表示装置Ｋでは、図１４に示すように、前記透視表示体２０の後面側に形成した枠状突片７２に、収容箱体２１の前ケース２９を嵌合位置決めした後、この前ケース２９に対して各図柄表示ユニットＵを、駆動基盤３１の位置決め突片３４が前切欠２９ｂに嵌挿される状態で組付けセットする。この際に、各図柄表示ユニットＵにおける駆動基盤３１の上部前端および下部前端を、前記透視表示体２０の後面側に形成した支持ガイド片７１,７１に嵌合することで、該基盤３１の前側の位置決めおよび保持がなされる。３基の図柄表示ユニットＵが組付けられた前ケース２９に対し、前記後ケース３０を、各後切欠３０ｂに対応する駆動基盤３１の位置決め突片３４を嵌挿した状態でセットする。これにより、３基の図柄表示ユニットＵは、前後のケース２９,３０により画成される収容室内に位置決め状態で収容される(図７,図１５参照)。このとき、各図柄表示ユニットＵの図柄ドラム３３は、透視表示体２０における対応の表示窓２４に臨んでいると共に、駆動基盤３１は該透視表示体２０に形成した区画壁部６９,６９または側壁部６８ａの後端に密着的に整合している。これにより、各図柄表示ユニットＵにおける駆動基盤３１から延出している図柄ドラム３３同士の間に区画壁部６９が臨んで該図柄ドラム３３に隣接していると共に、正面左端の図柄ドラム３３の側方に側壁部６８ａが隣接し、正面右端の図柄ドラム３３の側方に側壁部６８ｂが隣接している。なお、位置決め突片３４に配設されているコネクタ３５は、収容箱体２１の後部側の下方において、側方に接続口３５ａを向けた姿勢で臨む。
【００３４】
前記収容箱体２１に対し、前記金属枠２２を後側から装着し、上下の当接片３８ａ,３９ａのスリット３８ｂ,３９ｂに後側から挿通したネジを、前記透視表示体２０の対応するネジ孔２８ａ,２８ａに螺挿することで、収容箱体２１は透視表示体２０と金属枠２２とで前後から挟持された状態で位置決めされる。なお、金属枠２２の幅方向に離間する一対の挟持片３７ａ,３７ａが、後ケース３０の幅方向両側面に当接することで幅方向の位置決めがなされる。
【００３５】
前記表示制御装置Ｍに関しては、前記基板ケース４５における第１ケース体５４の上板５４ａに、トランスやレギュレータ等の電源部品４８やコンデンサ４９等の大型部品が実装されている第１基板部４６をネジ止め固定する。また、本体板５４ｂに対してＣＰＵ５０、ＩＣ５１およびコネクタ５２,５３等の小型部品が実装されている第２基板部４７を位置決めしたもとで、第１ケース体５４に対して第２ケース体５５を、前記凹部５９ｂや突起６０に対して対応する凸部６１ａや上部側板５５ｂを係合当接することで位置決めした状態で組付ける。そして、第２ケース体５５の本体板５５ｃに形成した各通孔６２ａに後側から挿通したネジを、第１ケース体５４の対応するネジ孔５８ａに螺挿することで、第１基板部４６と第２基板部４７とからなる表示制御基板４４を収容した状態で両ケース体５４,５５が組付け固定される。なお、第２基板部４７は、第１ケース体５４のボス５８と第２ケース体５５のボス６２とで四隅が前後から挟持された状態で位置決めされる。また、前記第２基板部４７に配設されている各コネクタ５２,５３は、第２ケース体５５に設けられている対応する保護凹部６３,６４により接続口５２ａ,５３ａを除く部分が覆われる(図７参照)。
【００３６】
前述したように組立てられた表示制御装置Ｍは、図７に示す如く、第１ケース体５４の上板５４ａを金属枠２２の上板３８に載置すると共に、第１ケース５４の本体板５４ｂを金属枠２２の本体板３７の後面に当接した状態で位置決め載置される。このとき、基板ケース４５の幅方向の両側部(上部側板５５ｂや下部側板５５ｅ)が、金属枠２２の前記支持片４０,４０や第２位置決め片４２,４２で挟持される。また金属枠２２の各第１位置決め片４１が、基板ケース４５の爪片６５,６５に係合し、金属枠２２に対して表示制御装置Ｍは確実に位置決めされる。そして、前記第２ケース体５５に形成した通孔６１ｂに後側から挿通したネジ６６を、前記金属枠２２の取付片４３に形成したネジ孔４３ａに螺挿することで、当該の表示制御装置Ｍは金属枠２２、すなわち収容箱体２１の後側に配設固定される。
【００３７】
前記表示制御装置Ｍにおいては、前記各図柄表示ユニットＵのコネクタ３５と、前記第２基板部４７の対応するコネクタ５２とがハーネス３６を介して夫々接続される。
【００３８】
このようにして組立てられた実施例の図柄可変表示装置Ｋでは、前述したように、前記収容箱体２１の前側開口部に透視表示体２０が予め組付けられた状態で単一のユニットとして取扱うことができる。しかも、収容箱体２１の前側開口部が透視表示体２０で覆蓋されているので、組立完了後の保管時や運搬時に該箱体２１内への塵埃やゴミ等の異物の侵入が好適に回避されて図柄表示ユニットＵの誤作動や故障発生も好適に防止される一方、各図柄ドラム３３が露出しないので該ドラム３３の損傷や破損も防止される。また透視表示体２０の裏面側に、収容箱体２１における前ケース２９の位置決め用の枠状突片７２と、各図柄表示ユニットＵにおける駆動基盤３１の位置決めおよび保持用の支持ガイド片７１を形成してあるので、該透視表示体２０に対する各図柄表示ユニットＵおよび前ケース２９の位置決めが極めて簡単かつ容易に行ない得る。しかも、透視表示体２０に整合した前ケース２９は、前記変形規制ボス７３により内外両側から係止保持されており、殊に内側への弾性変形が規制される(図１５)。
【００３９】
また前記透視表示体２０に関しては、透視部２３の裏側に前記区画壁部６９,６９が設けてあると共に、該透視部２３の肉厚を大きく設定してあるので、例えば組立てられた実施例の図柄可変表示装置Ｋを、該透視表示体２０を下向きにして床等に載置したとしても、該透視部２３の変形が好適に防止される。勿論、前記透視部２３を指先等で押圧したとしても、該透視部２３が変形することがない。従って、透視部２３の変形により、内挿された各図柄表示ユニットＵの図柄ドラム３３の損傷や破損等が好適に防止できる。
【００４０】
そして、前述のようにユニット化された図柄可変表示装置Ｋは、前記透視表示体２０の各連結支片２５に形成されたピン孔２５ａに、前記セーフ球案内部材１５の各支持部２７に形成されたピン２７ａを嵌挿すると共に各支持片７４に形成されたピン孔７５にピン７７を嵌挿することで該透視表示体２０を位置決めセットし、このもとで各施錠具２６を対応する連結孔２７ｂに係着することで、当該透視表示体２０がセーフ球案内部材１５の後側に連結状態で施錠される。このとき、透視表示体２０全体がセーフ球案内部材１５の透視窓口１５ａから前面側へ臨み、遊技盤Ｊの前側に装着した大型装飾部品Ｎの可視表示部分６７に、透視部２３が裏側から整合する。このように実施例の図柄可変表示装置Ｋでは、透視表示体２０に形成した各ピン孔２５ａ,７５に、セーフ球案内部材１５に形成したピン２７ａ,７７を対応的に位置決め嵌挿するだけで遊技盤Ｊに対する位置決めが正確かつ迅速に行ない得ると共に、各施錠具２６の回動操作だけで簡単に装着固定できる。なお、前記表示制御装置Ｍの第２基板部４７に配設されたコネクタ５３は、図示しない主制御装置にハーネスを介して接続される。
【００４１】
実施例の図柄可変表示装置Ｋを実施したパチンコ機Ｐは、ゲーム中に発射された遊技球が前記始動入賞具１１で入賞検出されたことによる始動入力が前記表示制御装置Ｍに入力されたことに基づいて図柄組合わせゲームが展開され、該図柄可変表示装置Ｋでの当たり図柄の停止表示結果により「大当たり」発生時には、前記大型入賞装置Ｌの入球口を開成した特別遊技条件を現出するようになっている。
【００４２】
図柄可変表示装置Ｋの各図柄表示ユニットＵでは、図柄変動停止制御における「リーチ」発生時および「大当たり」発生時の各時点および各条件時に対応して、前記表示制御装置Ｍにより前記照明具７８の照射ランプ７９,７９に対する点滅および点灯等を含む所要の発光制御が実行され、夫々の図柄Ｓに対する好適な照明がなされる。これにより、入賞ラインに停止した図柄Ｓが表示窓２４に明瞭に浮び上がると共に、各図柄表示ユニットＵにおける各照明具７８により透視部２３全体が照明され、可視表示部分６７の全域が明るく照明される。
【００４３】
ここで実施例の図柄可変表示装置Ｋでは、各図柄表示ユニットＵにおける駆動基盤３１の前側と、透視表示体２０における区画壁部６９,６９または側壁部６８ａとが隣接している。従って各区画壁部６９,６９においては、これに隣接するユニットＵにおける照明具７８の照射ランプ７９,７９からの照射光を側方へ透過させるので、これにより透視部２３の全体領域が均一的に更に明るく照明されて照明効果の向上が期待できる。また、各側壁部６８ａ,６８ｂにおいては、多数の凸部７０を設けて光が拡散するようになっているので、左側および右側の図柄表示ユニットＵ,Ｕにおける照明具７８の照射ランプ７９,７９からの照射光は、対応の側壁部６８ａ,６８ｂから拡散されながら外方へ照射され、メッキ処理された可視表示部分６７の内壁に反射して更なる照明効果の向上が期待できる。なお、各側壁部６８ａ,６８ｂおよび各区画壁部６９,６９は何れも透視不能に形成されているため、パチンコ機Ｐの前面側から透視部２３を介して各図柄表示ユニットＵの内部が透視されない。
【００４４】
また実施例の図柄可変表示装置Ｋでは、透視部２３における各表示窓２４がレンズ状に形成されている一方(図１６(ａ))、表示領域２４ａを透明に形成すると共にこれ以外の非表示領域２４ｂを不透明に形成してあるので、入賞ラインに停止した図柄Ｓを明瞭に拡大表示すると共に、入賞ライン以外に停止した図柄Ｓを不明瞭に表示する(図１６(ｂ))。これにより、例えば入賞ラインに大当たり図柄が整列した際には、照明具７８による照明効果と併せて「大当たり」のグレードの高い図柄表示が行なわれる。また、入賞ライン以外に大当たり図柄が整列したとしても、遊技者がこれを「大当たり」と誤認してしまうことがない。
【００４５】
一方、実施例に係る図柄可変表示装置Ｋでは、各図柄表示ユニットＵを電気的に制御する表示制御装置Ｍの表示制御基板４４を２枚に分割し、前記収容箱体２１の上面側に対向位置する第１基板部４６には電子部品として大型の部品を実装し、収容箱体２１の後面側に対向位置する第２基板部４７には電子部品として小型の部品を実装した。これにより、表示制御装置Ｍにおける収容箱体２１の後面側に臨む部分の前後方向の厚み寸法を小さくすることができ、図柄可変表示装置Ｋを装備したパチンコ機Ｐを遊技店内の島に設置した際に、後側への突出量を小さくすることができる。すなわち、表示制御装置Ｍの厚みを薄くした分だけ、図柄表示ユニットＵの図柄ドラム３３を大型化しても、島内で対向する図柄可変表示装置Ｋ,Ｋ同士が干渉することはない。従って、図柄ドラム３３の大型化により迫力のある図柄表示が可能となり、ゲーム全体の興趣を高めると共に、パチンコ機全体のグレードアップをも図り得る。
【００４６】
また表示制御装置Ｍでは、収容箱体２１の上面側に臨む第１基板部４６に、重量のある大型部品を実装したので、該表示制御装置Ｍを収容箱体２１(金属枠２２)に装着した際の安定性に優れ、実施例のように１本のネジにより確実かつ安定的に固定することができる。なお、第１基板部４６に実装される大型部品は、発熱やノイズを発生するが、これらの部品は第２基板部４７に実装されるＣＰＵ５０やＩＣ５１とは離間しているので、該ＣＰＵ５０やＩＣ５１に対する熱やノイズの影響を低減することができる。しかも、基板ケース４５の上部には多数の放熱孔５５ｄ,５９ａが形成してあるので、上部に配設されている大型部品から発する熱は効率的に外部に逃げ、ケース内にこもることはない。
【００４７】
前記第２基板部４７に配設されるコネクタ５２,５３の配設姿勢を、その接続口５２ａ,５３ａが、該基板部４７の配設面(制御基板の配設面)に沿う方向に向けて開口するよう設定したので、これによっても表示制御装置Ｍにおける収容箱体２１の後面側に臨む部分の前後厚みを小さくすることができる。また、各図柄表示ユニットＵのコネクタ３５が収容箱体２１の後部下方に臨むと共に、表示制御装置Ｍの対応するコネクタ５２が第２基板部４７の下部に配設されるので、両コネクタ３５,５２を接続するハーネス３６を短かくすることができる。すなわち、材料費を低減し得ると共に、ハーネス３６が長くなることに起因するノイズからの影響を抑制することができる。
【００４８】
また実施例の図柄可変表示装置Ｋでは、前記第２基板部４７に配設されるコネクタ５２を下向きにすると共に、第２ケース体５５で保護するよう構成したので、パチンコ機Ｐが設置される島内において該パチンコ機Ｐの後側を落下するパチンコ球が、コネクタ５２に衝突して破損させたりショートの原因となるのを未然に防止することができる。更に、コネクタ５２に対してハーネス３６を下方から接続することとなるから、該ハーネス３６も第２基板部４７の配設面から後方に突出することはなく、ハーネス３６にパチンコ球が衝突するのも防止し得る。
【００４９】
【変更例】
図１７(ａ)および図１７(ｂ)は、変更例に係る透視表示体(前カバー部材)２０の透視部２３の側断面図および正面図である。この変更例の透視表示体２０では、透視部２３における各表示窓２４に関し、入賞ラインに対応する表示領域２４ａの肉厚だけを大きくしてレンズ状に形成し、上方および下方の非表示領域２４ｂの肉厚を小さく設定したものである。このような透視部２３とした透視表示体２０を実施した図柄可変表示装置Ｋでは、入賞ラインに停止した図柄Ｓのみが明瞭に拡大表示されると共に、入賞ライン以外に停止した図柄Ｓは不明瞭に縮小表示され、前記各図柄表示ユニットＵの照明具７８による照明効果と併せて、遊技者による「大当たり」発生の誤認が更に好適に回避される。
【００５０】
本発明の対象とする大型役物としての図柄可変表示装置については、図示しないが、前述した図柄ドラムを用いた形態の他に図柄ベルト(表示手段)を用いる形態の図柄可変表示装置にも好適に実施し得る。また実施例では、パチンコ球を用いた遊技機につき説明したが、コインを用いたスロットマシン等にも採用可能である。
【００５１】
前述した実施例では、表示制御基板を２枚に分割した場合で説明したが、１枚の基板を折曲形成したものであってもよい。また基板を構成する複数の基板部は、収容箱体の上面と後面に対向位置させる他に、上面と一方の側面、後面と一方の側面、あるいは上面と両側面や後面と両側面とに対向位置させる構成とすることができる。更に、基板ケースに設けられる放熱孔に関しては、第２ケース体の上板や上部側板等に設けてもよい。なお、前記収容箱体としては２つに分割した場合で説明したが、前後方向に開放する１つの箱体であってもよい。
【００５２】
【発明の効果】
以上説明した如く、本発明に係るパチンコ遊技機の大型遊技装置では、複数の図柄表示ユニットを収容セットした収容箱体の前側開口部に前カバー部材が予め組付けられ、この状態で単一のユニットとして取扱うことができる。これにより、収容箱体の前側開口部が前カバー部材で覆蓋されているので、組立完了後の保管時や運搬時に該箱体内への塵埃やゴミ等の異物の侵入が好適に回避されて図柄表示ユニットの誤作動や故障発生が好適に防止される一方、図柄表示体が露出しないので該表示体の損傷や破損等も防止される有益な効果を奏する。そして前カバー部材の裏面側に、図柄表示ユニットの位置決めおよび保持用の支持部を形成してあるので、該前カバー部材に対する図柄表示ユニットの位置決めが極めて簡単かつ容易に行ない得る利点がある。
【図面の簡単な説明】
【図１】本発明の実施例に係る図柄可変表示装置を分解した状態で後側から視た概略斜視図である。
【図２】実施例に係る図柄可変表示装置が装備されるパチンコ機の全体を示す正面図である。
【図３】実施例に係る図柄可変表示装置が装備されるパチンコ機の全体を示す背面図である。
【図４】実施例に係る図柄可変表示装置が配設された遊技盤を示す正面図である。
【図５】実施例に係る図柄可変表示装置を組付け状態で示す概略斜視図である。
【図６】実施例に係る図柄可変表示装置の表示制御装置を収容箱体に組付ける状態で示す概略斜視図である。
【図７】実施例に係る図柄可変表示装置の縦断側面図である。
【図８】実施例に係る収容箱体、図柄表示ユニットおよび金属枠を分解した状態で後側から視た概略斜視図である。
【図９】実施例に係る収容箱体、図柄表示ユニットおよび金属枠を分解した状態で前側から視た概略斜視図である。
【図１０】実施例に係る表示制御装置を分解した状態で後側から視た概略斜視図である。
【図１１】実施例に係る表示制御装置を分解した状態で前側から視た概略斜視図である。
【図１２】実施例に係る表示制御装置を一部切欠いて示す背面図である。
【図１３】実施例に係る表示制御装置の構成部材である透視表示体を後側から視た概略斜視図である。
【図１４】実施例に係る透視表示体に対して収容箱体および図柄表示ユニットを組付ける状態を断面状態で示す側面図である。
【図１５】実施例に係る図柄可変表示装置を、遊技盤裏側のセーフ球案内部材に組付けた状態で示す横断平面図である。
【図１６】  (ａ)は、実施例に係る透視表示体における透視部の要部断面図、(ｂ)は、(ａ)に示した実施例に係る透視表示体を組付けた図柄可変表示装置の正面図である。
【図１７】  (ａ)は、変更例に係る透視表示体における透視部の要部断面図、(ｂ)は、(ａ)に示した変更例に係る透視表示体を組付けた図柄可変表示装置の正面図である。
【符号の説明】
２０  透視表示体(前カバー部材)
２１  収容箱体
２２  金属枠
２３  透視部
２９  前ケース
２９ａ  下枠材
２９ｂ  前切欠
３０  後ケース
３０ａ  下枠材
３０ｂ  後切欠
３３  図柄表示体
３４  位置決め突片
３５  コネクタ
３７  本体板
３８  上板
３９  下板
６７  可視表示部分
６８ａ,６８ｂ  側壁部
６９  区画壁部
７１  支持ガイド片(支持部)
Ｊ  遊技盤
Ｕ  図柄表示ユニット
【図１】
0004423629.tif 000002
【図２】
0004423629.tif 000003
【図３】
0004423629.tif 000004
【図４】
0004423629.tif 000005
【図５】
0004423629.tif 000006
【図６】
0004423629.tif 000007
【図７】
0004423629.tif 000008
【図８】
0004423629.tif 000009
【図９】
0004423629.tif 000010
【図１０】
0004423629.tif 000011
【図１１】
0004423629.tif 000012
【図１２】
0004423629.tif 000013
【図１３】
0004423629.tif 000014
【図１４】
0004423629.tif 000015
【図１５】
0004423629.tif 000016
【図１６】
0004423629.tif 000017
【図１７】
0004423629.tif 000018